(57)【要約】【課題】防音壁付き静止誘導機器の搬送時の転倒モーメントの発生を抑制する。【解決手段】第１搬送用支持部材１３０は、静止誘導機器１１０に固定されている。防音壁１５０は、静止誘導機器１１０の周囲および上方を覆っている。連結部材１６０は、第１搬送用支持部材１３０に固定されている。第１搬送用支持部材１３０は、１対の第１吊手１１２の各々の下面１１６に接した状態で１対の第１吊手１１２の各々に固定されている。連結部材１６０は、防音壁１５０より外側に配置され、かつ、上下方向から見たときに連結部材１６０が第１搬送用支持部材１３０とともにループを形成するように、第１搬送用支持部材１３０の上面に接した状態で第１搬送用支持部材１３０と固定されている。【選択図】図１
2020119960.tif 000002
【特許請求の範囲】
【請求項１】
静止誘導機器と、
前記静止誘導機器が設置された土台と、
前記静止誘導機器に固定された第１搬送用支持部材と、
前記第１搬送用支持部材との間に前記静止誘導機器が位置するように前記静止誘導機器に固定された第２搬送用支持部材と、
前記静止誘導機器の周囲および上方を覆う防音壁と、
前記第１搬送用支持部材に固定された連結部材とを備え、
前記静止誘導機器は、静止誘導機器本体を収容するタンクを含み、
前記タンクには、前記タンクの外側に突出した１対の第１吊手、および、該１対の第１吊手とは前記タンクの反対側の位置にて前記１対の第１吊手とは反対側に突出した１対の第２吊手が設けられており、
前記第１搬送用支持部材は、前記１対の第１吊手の各々の下面に接した状態で前記１対の第１吊手の各々に固定されており、
前記第２搬送用支持部材は、前記１対の第２吊手の各々の下面に接した状態で前記１対の第２吊手の各々に固定されており、
前記防音壁の１対の側壁部の各々には、補強部材、第１孔部および第２孔部が設けられており、
前記補強部材は、前記第１孔部から前記防音壁の外側に突出した前記第１搬送用支持部材の上面に接した状態で前記第１搬送用支持部材と固定されているとともに、前記第２孔部から前記防音壁の外側に突出した前記第２搬送用支持部材の上面に接した状態で前記第２搬送用支持部材と固定されており、
前記連結部材は、前記防音壁より外側に配置され、かつ、上下方向から見たときに前記連結部材が前記第１搬送用支持部材とともにループを形成するように、前記第１搬送用支持部材の上面に接した状態で前記第１搬送用支持部材と固定されている、防音壁付き静止誘導機器の搬送構造。
【請求項２】
前記土台は、上下方向から見たときに、前記防音壁と離間しつつ前記防音壁より内側に位置している、請求項１に記載の防音壁付き静止誘導機器の搬送構造。
【請求項３】
前記連結部材は、前記１対の第１吊手の各々の突出方向と平行な方向に延在する１対の腕部と、前記１対の腕部の延在方向と直交する方向に延在して前記腕部同士を接続する接続部とを含み、
前記１対の腕部の各々は、前記第１搬送用支持部材の上面に接した状態で前記第１搬送用支持部材と固定されており、
前記接続部は、前記１対の腕部の各々の下面に接した状態で前記１対の腕部の各々と固定されている、請求項１または請求項２に記載の防音壁付き静止誘導機器の搬送構造。
【請求項４】
前記防音壁の下側端面が、前記土台の下面より上方に位置している、請求項１から請求項３のいずれか１項に記載の防音壁付き静止誘導機器の搬送構造。
【請求項５】
前記補強部材は、Ｃ形鋼またはＬ形鋼で構成されている、請求項１から請求項４のいずれか１項に記載の防音壁付き静止誘導機器の搬送構造。
【請求項６】
静止誘導機器と、
前記静止誘導機器が設置された土台と、
前記静止誘導機器および前記土台の各々の周囲並びに前記静止誘導機器の上方を覆う防音壁とを備え、
前記静止誘導機器は、静止誘導機器本体を収容するタンクを含み、
前記タンクには、前記タンクの外側に突出した１対の第１吊手、および、該１対の第１吊手とは前記タンクの反対側の位置にて前記１対の第１吊手とは反対側に突出した１対の第２吊手が設けられており、
前記防音壁の１対の側壁部の各々には、前記１対の第１吊手および前記１対の第２吊手の各々の突出方向に平行に延在する補強部材が設けられており、
前記１対の第１吊手および前記１対の第２吊手の各々の下面は、前記補強部材の下面より上方に位置しており、
前記補強部材の長さは、前記第１吊手と前記第２吊手との間の最短間隔より長い、防音壁付き静止誘導機器。
【請求項７】
前記土台は、前記防音壁と離間している、請求項６に記載の防音壁付き静止誘導機器。
【請求項８】
前記補強部材は、Ｃ形鋼またはＬ形鋼で構成されている、請求項６または請求項７に記載の防音壁付き静止誘導機器。
【請求項９】
静止誘導機器を土台に設置する工程と、
前記静止誘導機器に第１搬送用支持部材および第２搬送用支持部材を固定する工程と、
前記第１搬送用支持部材および前記第２搬送用支持部材の各々に支持されるように、前記静止誘導機器の周囲および上方を覆う防音壁を組み立てる工程と、
前記防音壁より外側において、前記第１搬送用支持部材に連結部材を固定する工程と、
前記連結部材を押すまたは引くことによって、前記土台に設置された状態の前記静止誘導機器、および、前記第１搬送用支持部材および前記第２搬送用支持部材の各々に支持された状態の前記防音壁を一体で搬送する工程と、
前記第１搬送用支持部材から前記連結部材を取り外す工程と、
前記第１搬送用支持部材および前記第２搬送用支持部材を前記静止誘導機器から取り外す工程と、
前記第１搬送用支持部材および前記第２搬送用支持部材の各々による前記防音壁の支持を解除する工程とを備える、防音壁付き静止誘導機器の製造方法。
【発明の詳細な説明】
【技術分野】
【０００１】
本発明は、防音壁付き静止誘導機器の搬送構造、防音壁付き静止誘導機器およびその製造方法に関する。
【背景技術】
【０００２】
防音壁付き静止誘導機器などの電器の搬送構造を開示した先行文献として、実開昭５４−１３４２１６号公報(特許文献１)がある。
【０００３】
特許文献１に記載された防音壁付き静止誘導機器の搬送構造は、変圧器本体と、ベースと、支持金具と、ガイド片と、防音壁とを備えている。変圧器本体は、ベース上に装着されている。ベースは、変圧器本体の互いに平行する両側壁から外方に延びている。支持金具は、上下に平行な２片を有している。支持金具は、ベースの少なくとも４個所の端部に、支持金具の一方端下片を着脱可能にそれぞれ添設されている。支持金具の他方端は、ベースと平行に外方に延出されている。ガイド片は、支持金具の他方端上片に直立して一体に設けられている。ガイド片は、変圧器本体の側壁に向かって側縁が円弧状に傾斜している。防音壁は、下方を開口した函状であり、変圧器本体の外周を覆っている。防音壁がガイド片により支持金具上に案内されて載置された状態の変圧器本体が、搬送される。
【先行技術文献】
【特許文献】
【０００４】
【特許文献１】実開昭５４−１３４２１６号公報
【発明の概要】
【発明が解決しようとする課題】
【０００５】
従来の防音壁付き静止誘導機器の搬送構造においては、静止誘導機器が設置された土台に搬送用のフックが設けられている。このフックにワイヤなどを取り付けて防音壁付き静止誘導機器を牽引する場合、フックが防音壁付き静止誘導機器の下方の位置に設けられているため、ワイヤを水平方向に配置して防音壁付き静止誘導機器を牽引することが難しく、フックから斜め上方に延在するように配置されたワイヤによって防音壁付き静止誘導機器が牽引される。その結果、防音壁付き静止誘導機器に作用する牽引力のうちの上方向の分力によって転倒モーメントが発生する。
【０００６】
本発明は上記問題点に鑑みてなされたものであり、防音壁付き静止誘導機器の搬送時の転倒モーメントの発生を抑制することができる、防音壁付き静止誘導機器の搬送構造、防音壁付き静止誘導機器およびその製造方法を提供することを目的とする。
【課題を解決するための手段】
【０００７】
本発明に基づく防音壁付き静止誘導機器の搬送構造は、静止誘導機器と、土台と、第１搬送用支持部材と、第２搬送用支持部材と、防音壁と、連結部材とを備えている。土台には、静止誘導機器が設置されている。第１搬送用支持部材は、静止誘導機器に固定されている。第２搬送用支持部材は、第１搬送用支持部材との間に静止誘導機器が位置するように静止誘導機器に固定されている。防音壁は、静止誘導機器の周囲および上方を覆っている。連結部材は、第１搬送用支持部材に固定されている。静止誘導機器は、静止誘導機器本体を収容するタンクを含んでいる。タンクには、１対の第１吊手、および、１対の第２吊手が設けられている。１対の第１吊手は、タンクの外側に突出している。１対の第２吊手は、１対の第１吊手とはタンクの反対側の位置にて１対の第１吊手とは反対側に突出している。第１搬送用支持部材は、１対の第１吊手の各々の下面に接した状態で１対の第１吊手の各々に固定されている。第２搬送用支持部材は、１対の第２吊手の各々の下面に接した状態で１対の第２吊手の各々に固定されている。防音壁の１対の側壁部の各々には、補強部材、第１孔部および第２孔部が設けられている。補強部材は、第１孔部から防音壁の外側に突出した第１搬送用支持部材の上面に接した状態で第１搬送用支持部材と固定されている。補強部材は、第２孔部から防音壁の外側に突出した第２搬送用支持部材の上面に接した状態で第２搬送用支持部材と固定されている。連結部材は、防音壁より外側に配置され、かつ、上下方向から見たときに連結部材が第１搬送用支持部材とともにループを形成するように、第１搬送用支持部材の上面に接した状態で第１搬送用支持部材と固定されている。
【発明の効果】
【０００８】
本発明によれば、連結部材が搬送用支持部材に固定され、かつ、搬送用支持部材が静止誘導機器のタンクに設けられた吊手に固定されていることにより、防音壁付き静止誘導機器の搬送時の転倒モーメントの発生を抑制することができる。
【図面の簡単な説明】
【０００９】
【図１】本発明の一実施の形態に係る防音壁付き静止誘導機器の搬送構造の構成を示す斜視図である。
【図２】本発明の一実施の形態に係る防音壁付き静止誘導機器の搬送構造の構成の一部を示す斜視図である。
【図３】図１に示す防音壁付き静止誘導機器の搬送構造を矢印ＩＩＩ方向から見た正面図である。
【図４】図３に示す防音壁付き静止誘導機器の搬送構造を矢印ＩＶ方向から見た左側面図である。
【図５】本発明の一実施の形態に係る防音壁付き静止誘導機器を示す正面図である。
【図６】本発明の一実施の形態に係る防音壁付き静止誘導機器の搬送路を示す平面図である。
【図７】本発明の一実施の形態に係る防音壁付き静止誘導機器の製造方法において、組立ハウス内で土台が組み付けられた状態の静止誘導機器を示す正面図である。
【図８】本発明の一実施の形態に係る防音壁付き静止誘導機器の製造方法において、組立ハウスから搬出された静止誘導機器に搬送用支持部材が取り付けられた状態を示す正面図である。
【図９】本発明の一実施の形態に係る防音壁付き静止誘導機器の製造方法において、防音壁組付場所で静止誘導機器にブッシングが設けられた状態を示す図である。
【図１０】本発明の一実施の形態に係る防音壁付き静止誘導機器の製造方法において、防音壁組付場所で、搬送用支持部材に防音壁が固定された状態を示す図である。
【図１１】本発明の一実施の形態に係る防音壁付き静止誘導機器の製造方法において、本発明の一実施の形態に係る防音壁付き静止誘導機器の搬送構造が、腰下材上に配置された状態を示す斜視図である。
【図１２】本発明の一実施の形態に係る防音壁付き静止誘導機器の製造方法において、本発明の一実施の形態に係る防音壁付き静止誘導機器の搬送構造が腰下材上に配置されたときの、該搬送構造と、腰下材と、コロとの相対的な位置関係を斜め下方から示す斜視図である。
【図１３】本発明の一実施の形態に係る防音壁付き静止誘導機器の製造方法において、本発明の一実施の形態に係る防音壁付き静止誘導機器の搬送構造が、牽引車によって牽引されている状態を示す図である。
【図１４】本発明の一実施の形態に係る防音壁付き静止誘導機器の製造方法において、設置場所にて、防音壁付き静止誘導機器の搬送構造の、搬送用支持部材と静止誘導機器との接続を解除した状態を示す図である。
【発明を実施するための形態】
【００１０】
以下、本発明の一実施の形態に係る防音壁付き静止誘導機器の搬送構造について図面を参照して説明する。以下の実施の形態の説明においては、図中の同一または相当部分には同一符号を付して、その説明は繰り返さない。また、以下の実施の形態においては、静止誘導機器として変圧器について説明するが、静止誘導機器は、変圧器に限られず、リアクトルなどでもよい。
【００１１】
図１は、本発明の一実施の形態に係る防音壁付き静止誘導機器の搬送構造の構成を示す斜視図である。図２は、本発明の一実施の形態に係る防音壁付き静止誘導機器の搬送構造の構成の一部を示す斜視図である。図３は、図１に示す防音壁付き静止誘導機器の搬送構造を矢印ＩＩＩ方向から見た正面図である。図４は、図３に示す防音壁付き静止誘導機器の搬送構造を矢印ＩＶ方向から見た左側面図である。なお、図２においては、後述する防音壁を図示していない。
【００１２】
図１から図４に示すように、本発明の一実施の形態に係る防音壁付き静止誘導機器の搬送構造１００は、静止誘導機器１１０と、土台１２０と、第１搬送用支持部材１３０と、第２搬送用支持部材１４０と、防音壁１５０と、連結部材１６０とを備えている。
【００１３】
静止誘導機器１１０は、図示しない静止誘導機器本体を収容するタンク１１１を含んでいる。タンク１１１は、上部タンク１１１ａと、上部タンク１１１ａの下側に配置された下部タンク１１１ｂとを有している。上部タンク１１１ａは、下方が開口した略直方体状の外形を有している。下部タンク１１１ｂは、上方が開口した略直方体状の外形を有している。下部タンク１１１ｂの上部に、図示しないフランジが設けられている。上部タンク１１１ａは、下部タンク１１１ｂのフランジ上に載置されて固定されている。
【００１４】
図１から図４に示すように、タンク１１１には、１対の第１吊手１１２、および、１対の第２吊手１１３が設けられている。１対の第１吊手１１２は、タンク１１１の外側に突出している。１対の第２吊手１１３は、１対の第１吊手１１２とはタンク１１１の反対側の位置にて１対の第１吊手１１２とは反対側に突出している。本実施の形態においては、１対の第１吊手１１２および１対の第２吊手１１３の各々は、下部タンク１１１ｂの側面およびフランジの下面に沿って延在している。
【００１５】
図２に示すように、本実施の形態において、１対の第１吊手１１２の各々には貫通孔１１２ａが設けられており、１対の第２吊手１１３の各々には、貫通孔１１３ａが設けられている。貫通孔１１２ａ，１１３ａにワイヤまたはフックを引っかけることにより、防音壁１５０が組み付けられていない状態の静止誘導機器１１０を、クレーンで吊り上げることが可能となる。
【００１６】
図１から図４に示すように、本実施の形態において、１対の第１吊手１１２のうち一方側に位置する第１吊手１１２と、１対の第２吊手１１３のうち一方側に位置する第２吊手１１３とは、一体の部材で構成されている。１対の第１吊手１１２のうち他方側に位置する第１吊手１１２と、１対の第２吊手１１３のうち他方側に位置する第２吊手１１３とは、一体の部材で構成されている。なお、第１吊手１１２および第２吊手１１３の各々は、互いに異なる部材で構成されていてもよい。すなわち、４つの部材から、１対の第１吊手１１２および１対の第２吊手１１３が構成されていてもよい。
【００１７】
図１から図４に示すように、静止誘導機器１１０においては、タンク１１１の上面１１４から、タンク１１１内において静止誘導機器本体と電気的に接続されたブッシング１１５が斜め上方に突出している。
【００１８】
本実施の形態において、複数のブッシング１１５は、第１ブッシング１１５ａと第２ブッシング１１５ｂとを有している。第１ブッシング１１５ａは、タンク１１１の上面１１４から、斜め上方かつ静止誘導機器１１０の前方側に突出している。第２ブッシング１１５ｂは、タンク１１１の上面１１４から、斜め上方かつ静止誘導機器１１０の後方側に突出している。
【００１９】
土台１２０には、静止誘導機器１１０が設置されている。土台１２０の下面１２１は、静止誘導機器１１０を設置個所に設置した際に、地面に接している。本実施の形態において、土台１２０は、上下方向から見たときに、防音壁１５０と離間しつつ防音壁１５０の内側に位置している。
【００２０】
図３に示すように、本実施の形態において、土台１２０は、前後方向から見て、上部タンク１１１ａの両側面より内側に位置している。図４に示すように、本実施の形態において、土台１２０は、横方向から見て、タンク１１１の前方面および後方面の各々より、外側まで延在している。
【００２１】
図１から図４に示すように、第１搬送用支持部材１３０は、静止誘導機器１１０に固定されている。図２に示すように、第１搬送用支持部材１３０は、１対の第１吊手１１２の各々の下面１１６に接した状態で１対の第１吊手１１２の各々に固定されている。
【００２２】
本実施の形態において、第１搬送用支持部材１３０は、水平方向に延在している。第１搬送用支持部材１３０は、１対の第１吊手１１２の各々の突出方向と直交する方向に延在している。本実施の形態において、第１搬送用支持部材１３０は、形鋼であり、具体的にはＨ形鋼である。
【００２３】
図１から図４に示すように、第２搬送用支持部材１４０は、第１搬送用支持部材１３０との間に静止誘導機器１１０が位置するように静止誘導機器１１０に固定されている。第２搬送用支持部材１４０は、１対の第２吊手１１３の各々の下面に接した状態で１対の第２吊手１１３の各々に固定されている。
【００２４】
本実施の形態において、第２搬送用支持部材１４０は、水平方向に延在している。第２搬送用支持部材１４０は、１対の第２吊手１１３の各々の突出方向と直交する方向に延在している。本実施の形態において、第２搬送用支持部材１４０は、形鋼であり、具体的にはＨ型鋼である。
【００２５】
図１、図３および図４に示すように、防音壁１５０は、静止誘導機器１１０の周囲および上方を覆っている。防音壁１５０は、下方が開口した略直方体状の外形を有している。
【００２６】
図３および図４に示すように、防音壁１５０の下側端面１５５は、土台１２０の下面１２１より上方に位置している。防音壁１５０の下側端面１５５は、土台１２０の上面より下方に位置している。
【００２７】
図１および図４に示すように、防音壁１５０の１対の側壁部１５１の各々には、補強部材１５２、第１孔部１５３および第２孔部１５４が設けられている。本実施の形態において、第１孔部１５３および第２孔部１５４の各々は、水平方向に並ぶように配置されている。
【００２８】
補強部材１５２は、第１孔部１５３および第２孔部１５４の各々の上端部と補強部材１５２の下面とが高さ方向において略同一となるように、配置されている。本実施の形態において、補強部材１５２は、静止誘導機器１１０の前後方向に延在するように配置されている。
【００２９】
図１、図３および図４に示すように、本実施の形態において、補強部材１５２は形鋼で構成されている。本実施の形態において、補強部材１５２は、Ｃ形鋼で構成されている。補強部材１５２は、Ｌ形鋼で構成されていてもよい。なお、補強部材１５２は、形鋼とは異なる部材で構成されていてもよい。
【００３０】
補強部材１５２は、防音壁１５０の側壁部１５１に接した状態で、側壁部１５１に固定されている。本実施の形態において、補強部材１５２と側壁部１５１とは、溶接されることで互いに固定されている。ただし、補強部材１５２と側壁部１５１とは、締結部材により締結されることで互いに固定されていてもよい。
【００３１】
図１、図３および図４に示すように、補強部材１５２は、第１孔部１５３から防音壁１５０の外側に突出した第１搬送用支持部材１３０の上面１３１に接した状態で第１搬送用支持部材１３０と固定されている。
【００３２】
図１、図３および図４に示すように、本実施の形態においては、補強部材１５２は、第２孔部１５４から防音壁１５０の外側に突出した第２搬送用支持部材１４０の上面１４１に接した状態で第２搬送用支持部材１４０と固定されている。
【００３３】
図１に示すように、防音壁１５０の天井部１５６には、ブッシング１１５が挿通される開口部１５７が設けられている。本実施の形態においては、防音壁１５０の天井部１５６には、第１ブッシング１１５ａおよび第２ブッシング１１５ｂがそれぞれ挿通される第１開口部１５７ａおよび第２開口部１５７ｂが設けられている。
【００３４】
図１から図４に示すように、連結部材１６０は、第１搬送用支持部材１３０に固定されている。連結部材１６０は、防音壁１５０より外側に配置され、かつ、上下方向から見たときに連結部材１６０が第１搬送用支持部材１３０とともにループを形成するように、第１搬送用支持部材１３０の上面１３１に接した状態で第１搬送用支持部材１３０と固定されている。
【００３５】
本実施の形態においては、連結部材１６０は、１対の腕部１６１と、接続部１６２とを含んでいる。１対の腕部１６１の各々は、１対の第１吊手１１２の各々の突出方向と平行な方向に延在している。接続部１６２は、１対の腕部１６１の延在方向と直交する方向に延在して腕部１６１同士を接続している。
【００３６】
１対の腕部１６１の各々は、第１搬送用支持部材１３０の上面１３１に接した状態で第１搬送用支持部材１３０と固定されている。本実施の形態において、１対の腕部１６１の各々は、形鋼で構成されている。１対の腕部１６１の各々は、具体的には、Ｃ形鋼であり、Ｃ字の開口部が上方を向くように配置されている。
【００３７】
接続部１６２は、１対の腕部１６１の各々の下面に接した状態で１対の腕部１６１の各々と固定されている。本実施の形態において、接続部１６２は、形鋼で構成されている。接続部１６２は、具体的には、Ｃ形鋼であり、Ｃ字の開口部が上方を向くように配置されている。
【００３８】
以下、本発明の一実施の形態に係る防音壁付き静止誘導機器について説明する。本実施の形態に係る防音壁付き静止誘導機器は、本実施の形態に係る防音壁付き静止誘導機器の搬送構造１００が、搬送後に搬送構造を解除されたものである。
【００３９】
本発明の一実施の形態に係る防音壁付き静止誘導機器においては、搬送用支持部材と連結部材とを備えておらず、かつ、静止誘導機器および土台の各々と、防音壁との相対的な位置が異なる点で、本発明の一実施の形態に係る防音壁付き静止誘導機器の搬送構造１００と異なる。このため、本発明の一実施の形態に係る防音壁付き静止誘導機器の搬送構造１００と同様である構成については説明を繰り返さない。
【００４０】
図５は、本発明の一実施の形態に係る防音壁付き静止誘導機器を示す正面図である。図５に示すように、防音壁付き静止誘導機器２００は、静止誘導機器１１０と、土台１２０と、防音壁１５０とを備えている。土台１２０は、防音壁１５０と離間している。
【００４１】
防音壁１５０の１対の側壁部１５１の各々には、１対の第１吊手１１２および１対の第２吊手１１３の各々の突出方向に平行に延在する補強部材１５２が設けられている。１対の第１吊手１１２および１対の第２吊手１１３の各々の下面１１６は、補強部材１５２の下面１５９より上方に位置している。補強部材１５２の長さは、第１吊手１１２と第２吊手１１３との間の最短間隔より長い。
【００４２】
防音壁１５０の下側端面１５５は、土台１２０の下面１２１と同一平面上に位置している。すなわち、防音壁１５０の下側端面１５５は、地面に接している。防音壁１５０の側壁部１５１には、孔部は設けられていない。すなわち、第１孔部１５３および第２孔部１５４の各々は、パネルなどによって塞がれている。
【００４３】
ここで、本発明の一実施の形態に係る防音壁付き静止誘導機器２００の製造方法について説明する。本実施の形態に係る防音壁付き静止誘導機器２００は、静止誘導機器１１０に土台１２０、第１搬送用支持部材１３０、第２搬送用支持部材１４０、防音壁１５０および連結部材１６０を取り付けて防音壁付き静止誘導機器の搬送構造１００を組立て、これを搬送した後、第１搬送用支持部材１３０、第２搬送用支持部材１４０および連結部材１６０を取りはずし、かつ、防音壁１５０を地面に載置することにより製造される。
【００４４】
図６は、本発明の一実施の形態に係る防音壁付き静止誘導機器の搬送路を示す平面図である。図６に示すように、本実施の形態における搬送路１０には、組立ハウス１１と、防音壁組付場所１２と、設置場所１３とが設けられている。組立ハウス１１の内部から防音壁組付場所１２に向かって、１対の第１スライドレール１４が延在するように設置されている。１対の第１スライドレール１４は、互いに平行に配置されている。設置場所１３の内側から防音壁組付場所１２に向かって、１対の第２スライドレール１５が延在するように配置されている。１対の第２スライドレール１５は、互いに平行に配置されている。防音壁組付場所１２は、組立ハウス１１と設置場所１３との間の中間位置に配置されている。
【００４５】
図７は、本発明の一実施の形態に係る防音壁付き静止誘導機器の製造方法において、組立ハウス内で土台が組み付けられた状態の静止誘導機器を示す正面図である。図７に示すように、本実施の形態においては、組立ハウス１１内で、静止誘導機器１１０を組み立てるとともに、静止誘導機器１１０を土台１２０に設置する。ただし、本実施の形態に係る防音壁付き静止誘導機器２００の製造方法においては、組立ハウス１１内では、ブッシング１１５を静止誘導機器１１０に取り付けない。
【００４６】
次に、組立ハウス１１内で組み立てられた静止誘導機器１１０を、土台１２０に据え付けた状態で、ジャッキなどを用いて、図６に示した第１スライドレール１４上に配置する。そして、第１スライドレール１４上に配置された静止誘導機器１１０および土台１２０を、第１スライドレール１４上にて移動させることにより、組立ハウス１１の内部から外部へ搬出する。
【００４７】
図８は、本発明の一実施の形態に係る防音壁付き静止誘導機器の製造方法において、組立ハウスから搬出された静止誘導機器に搬送用支持部材が取り付けられた状態を示す正面図である。図８に示すように、本実施の形態においては、組立ハウス１１の外部へ搬出され、第１スライドレール１４上に位置する静止誘導機器１１０に、第１搬送用支持部材１３０および第２搬送用支持部材１４０を固定する。
【００４８】
次に、第１搬送用支持部材１３０および第２搬送用支持部材１４０が取り付けられた静止誘導機器１１０および土台１２０を、第１スライドレール１４上から、図６に示す予め準備されたコロ１６上に配置する。本実施の形態に係る防音壁付き静止誘導機器２００の製造方法においては、コロ１６と土台１２０との間に腰下木材が配置される。
【００４９】
このとき、第１スライドレール１４上の静止誘導機器１１０を、第１搬送用支持部材１３０および第２搬送用支持部材１４０の各々の下に配置したジャッキによって上昇させる。ジャッキで上昇させた静止誘導機器１１０の下方に、コロ１６および腰下木材の各々が配置される。ジャッキで上昇させた静止誘導機器１１０を下降させることにより、静止誘導機器１１０を腰下木材上に載置する。
【００５０】
次に、コロ１６上の腰下材に載置された静止誘導機器１１０を、ウィンチ車などで牽引することによりコロ１６上で搬送する。図６に示した防音壁組付場所１２まで搬送した静止誘導機器１１０を、第１搬送用支持部材１３０および第２搬送用支持部材１４０の各々の下に配置したジャッキで上昇させる。防音壁組付場所１２で上昇させた静止誘導機器１１０の下方から、コロ１６および腰下木材を引き抜く。コロ１６および腰下材を引き抜いた後、静止誘導機器１１０を下降させる。これにより、第１搬送用支持部材１３０および第２搬送用支持部材１４０の各々が設けられた静止誘導機器１１０が、防音壁組付場所１２に配置される。
【００５１】
図９は、本発明の一実施の形態に係る防音壁付き静止誘導機器の製造方法において、防音壁組付場所で静止誘導機器にブッシングが設けられた状態を示す図である。図９に示すように、本実施の形態に係る防音壁付き静止誘導機器２００の製造方法においては、防音壁組付場所１２で、静止誘導機器１１０にブッシング１１５を取り付ける。
【００５２】
図１０は、本発明の一実施の形態に係る防音壁付き静止誘導機器の製造方法において、防音壁組付場所で、搬送用支持部材に防音壁が固定された状態を示す図である。図１０に示すように、防音壁組付場所１２において、ブッシング１１５が設けられた静止誘導機器１１０に、防音壁１５０を取り付ける。このとき、第１搬送用支持部材１３０および第２搬送用支持部材１４０の各々に支持されるように、静止誘導機器１１０の周囲および上方を覆う防音壁１５０を組み立てる。
【００５３】
本実施の形態に係る防音壁付き静止誘導機器２００の製造方法においては、防音壁組付場所１２で、防音壁１５０より外側において、第１搬送用支持部材１３０に連結部材１６０を固定する。
【００５４】
上記の工程により、図１、図３および図４に示す防音壁付き静止誘導機器の搬送構造１００が製造される。
【００５５】
そして、防音壁付き静止誘導機器の搬送構造１００を、図６に示した防音壁組付場所１２から、設置場所１３まで搬送する。このとき、本実施の形態における製造方法においては、連結部材１６０を押すまたは引くことによって、土台１２０に設置された状態の静止誘導機器１１０、および、第１搬送用支持部材１３０および第２搬送用支持部材１４０の各々に支持された状態の防音壁１５０を、一体で搬送する。
【００５６】
ここで、上記搬送の方法について説明する。図１１は、本発明の一実施の形態に係る防音壁付き静止誘導機器の製造方法において、本発明の一実施の形態に係る防音壁付き静止誘導機器の搬送構造が、腰下材上に配置された状態を示す斜視図である。図１２は、本発明の一実施の形態に係る防音壁付き静止誘導機器の製造方法において、本発明の一実施の形態に係る防音壁付き静止誘導機器の搬送構造が腰下材上に配置されたときの、該搬送構造と、腰下材と、コロとの相対的な位置関係を斜め下方から示す斜視図である。図１３は、本発明の一実施の形態に係る防音壁付き静止誘導機器の製造方法において、本発明の一実施の形態に係る防音壁付き静止誘導機器の搬送構造が、牽引車によって牽引されている状態を示す図である。
【００５７】
図１１および図１２に示すように、本実施の形態においては、防音壁付き静止誘導機器の搬送構造１００を、防音壁組付場所１２において、第１搬送用支持部材１３０および第２搬送用支持部材１４０の各々の下に配置したジャッキによって上昇させる。上昇させた静止誘導機器１１０および土台１２０の下方に、図６に示す一対のコロ１７と一対のコロ１７上に位置する腰下材１８を配置する。上昇させた防音壁付き静止誘導機器の搬送構造１００を下降させることにより、防音壁付き静止誘導機器の搬送構造１００を、腰下材１８上に載置する。なお、腰下材１８とコロ１７との間には、鋼板などの薄板がさらに挿入されていてもよい。
【００５８】
図１１に示すように、防音壁付き静止誘導機器の搬送構造１００を上下方向から見たときに、腰下材１８は、防音壁１５０と離間しつつ防音壁１５０より内側に位置している。これにより、防音壁付き静止誘導機器の搬送構造１００の牽引中にコロの位置の調整をすることが容易となる。
【００５９】
図１３に示すように、防音壁付き静止誘導機器の搬送構造１００の接続部１６２と、ウィンチ車などの牽引車１とを、ワイヤなどで連結する。そして、コロ１７上の腰下材１８に載置された防音壁付き静止誘導機器の搬送構造１００を、牽引車１で牽引することにより搬送する。このとき、土台１２０と、腰下材１８とは、一体となってコロ１７上を移動する。このようにして、防音壁付き静止誘導機器の搬送構造１００を、図６に示した第２スライドレール１５まで搬送する。
【００６０】
図６に示した第２スライドレール１５まで搬送した防音壁付き静止誘導機器の搬送構造１００を、第１搬送用支持部材１３０および第２搬送用支持部材１４０の各々の下に配置したジャッキで上昇させる。第２スライドレール１５で上昇させた静止誘導機器１１０の下方から、コロ１７および腰下材１８を引き抜く。コロ１７および腰下材１８を引き抜いた後、防音壁付き静止誘導機器の搬送構造１００を下降させる。これにより、防音壁付き静止誘導機器の搬送構造１００が、第２スライドレール１５に配置される。
【００６１】
図６に示した第２スライドレール１５上に配置された防音壁付き静止誘導機器の搬送構造１００を、第２スライドレール１５にて移動させて、設置場所１３に搬入する。設置場所１３において、防音壁付き静止誘導機器の搬送構造１００が解除される。
【００６２】
図１４は、本発明の一実施の形態に係る防音壁付き静止誘導機器の製造方法において、設置場所にて、防音壁付き静止誘導機器の搬送構造の、搬送用支持部材と静止誘導機器との接続を解除した状態を示す図である。
【００６３】
図１４に示すように、本実施の形態における製造方法においては、第１搬送用支持部材１３０から連結部材１６０を取り除いた後、第１搬送用支持部材１３０および第２搬送用支持部材１４０を静止誘導機器１１０から取り外す。防音壁付き静止誘導機器の搬送構造１００において、第１搬送用支持部材１３０および第２搬送用支持部材１４０の各々と静止誘導機器１１０との接続を解除した場合、第１搬送用支持部材１３０、第２搬送用支持部材１４０、および、これらの各々と接続された防音壁１５０が、静止誘導機器１１０に対して下方に移動する。その結果、防音壁１５０の下側端面１５５の位置は、土台１２０の下面１２１の位置と水平方向において略同一となる。
【００６４】
上記接続を解除する際には、まず、防音壁付き静止誘導機器の搬送構造１００を、第１搬送用支持部材１３０および第２搬送用支持部材１４０の各々の下側に配置されたジャッキで上昇させる。次に、第１搬送用支持部材１３０および第２搬送用支持部材１４０の各々と、静止誘導機器１１０との接続を解除する。そして、上昇させていた第１搬送用支持部材１３０および第２搬送用支持部材１４０を下降させることにより、静止誘導機器１１０が設置された土台１２０を地面に載置する。そして、第１搬送用支持部材１３０および第２搬送用支持部材１４０の各々をさらに下降させることにより、第１搬送用支持部材１３０と１対の第１吊手１１２の各々とを離間させるとともに、第２搬送用支持部材１４０と１対の第２吊手１１３の各々とを離間させ、防音壁１５０を地面に載置する。
【００６５】
次に、防音壁１５０を接地させた防音壁付き静止誘導機器の搬送構造１００において、防音壁１５０と、第１搬送用支持部材１３０および第２搬送用支持部材１４０の各々との接続を解除する。すなわち、第１搬送用支持部材１３０および第２搬送用支持部材１４０の各々による防音壁１５０の支持を解除する。上記の工程により、本発明の一実施の形態に係る防音壁付き静止誘導機器２００が製造される。
【００６６】
上記のように、本発明の一実施の形態に係る防音壁付き静止誘導機器の搬送構造１００においては、連結部材１６０は、第１搬送用支持部材１３０に固定されている。連結部材１６０は、防音壁１５０より外側に配置され、かつ、上下方向から見たときに連結部材１６０が第１搬送用支持部材１３０とともにループを形成するように、第１搬送用支持部材１３０の上面１３１に接した状態で第１搬送用支持部材１３０と固定されている。
【００６７】
これにより、連結部材１６０が第１搬送用支持部材１３０に固定され、かつ、第１搬送用支持部材１３０が静止誘導機器１１０のタンク１１１に設けられた第１吊手１１２に固定されていることにより、連結部材１６０は土台１２０に対して高い位置にある。このため、連結部材１６０にワイヤなどを取り付けて防音壁付き静止誘導機器の搬送構造１００を水平方向に牽引する場合においては、防音壁付き静止誘導機器の搬送構造１００に作用する牽引力のうちの上方向の分力は、従来の防音壁付き静止誘導機器の搬送構造と比較して小さくなる。ひいては、防音壁付き静止誘導機器の搬送構造１００を搬送する際に転倒モーメントの発生を抑制することができる。
【００６８】
本発明の一実施の形態に係る防音壁付き静止誘導機器の搬送構造１００においては、土台１２０は、上下方向から見たときに、防音壁１５０と離間しつつ防音壁１５０の内側に位置している。
【００６９】
これにより、第１搬送用支持部材１３０によって防音壁１５０が静止誘導機器１１０に間接的に固定されている本実施の形態に係る防音壁付き静止誘導機器の搬送構造１００を、防音壁１５０の外側において防音壁１５０の近傍にジャッキを配置して防音壁付き静止誘導機器を搬送することができる。
【００７０】
本発明の一実施の形態に係る防音壁付き静止誘導機器の搬送構造１００においては、連結部材１６０は、１対の腕部１６１と、接続部１６２とを含んでいる。１対の腕部１６１の各々は、１対の第１吊手１１２の各々の突出方向と平行な方向に延在している。接続部１６２は、１対の腕部１６１の延在方向と直交する方向に延在して腕部１６１同士を接続している。１対の腕部１６１の各々は、第１搬送用支持部材１３０の上面１３１に接した状態で第１搬送用支持部材１３０と固定されている。接続部１６２は、１対の腕部１６１の各々の下面に接した状態で１対の腕部１６１の各々と固定されている。
【００７１】
これにより、連結部材１６０の接続部１６２の上面の高さが、第１搬送用支持部材１３０の上面１３１の高さと同一となるように固定される。ひいては、接続部１６２を押したり引いたりした際に連結部材１６０が撓むことを抑制して、防音壁付き静止誘導機器の搬送構造１００をより安定的に搬送することができる。
【００７２】
本実施の形態に係る防音壁付き静止誘導機器の搬送構造１００においては、防音壁１５０の下側端面１５５が、土台１２０の下面１２１より上方に位置している。
【００７３】
これにより、防音壁１５０と静止誘導機器１１０とを一体として下方から上昇させた後、下降させる際に、防音壁１５０が地面に接触する前に土台１２０を地面に載置させることができる。ひいては、防音壁１５０の損傷を抑制することができる。
【００７４】
本実施の形態に係る防音壁付き静止誘導機器の搬送構造１００においては、補強部材１５２は、Ｃ形鋼またはＬ形鋼で構成されている。
【００７５】
これにより、補強部材１５２と防音壁１５０とが互いに面で接触した状態で固定されるため、補強部材１５２によって第１孔部１５３および第２孔部１５４の各々の周辺部分の剛性を高めることができる。このため、第１搬送用支持部材１３０および第２搬送用支持部材１４０の各々から補強部材１５２を介して上記周辺部分に作用する応力によって、上記周辺部分が変形することを抑制することができる。
【００７６】
本発明の一実施の形態に係る防音壁付き静止誘導機器２００は、静止誘導機器１１０と、土台１２０と、防音壁１５０とを備えている。土台１２０には、静止誘導機器１１０が設置されている。防音壁１５０は、静止誘導機器１１０および土台１２０の各々の周囲並びに静止誘導機器１１０の上方を覆っている。静止誘導機器１１０は、静止誘導機器本体を収容するタンク１１１を含んでいる。タンク１１１には、１対の第１吊手１１２および１対の第２吊手１１３が設けられている。１対の第１吊手１１２は、タンク１１１の外側に突出している。１対の第２吊手１１３は、１対の第１吊手１１２とはタンク１１１の反対側の位置にて１対の第１吊手１１２とは反対側に突出している。防音壁１５０の１対の側壁部１５１の各々には、１対の第１吊手１１２および１対の第２吊手１１３の各々の突出方向に平行に延在する補強部材１５２が設けられている。１対の第１吊手１１２および１対の第２吊手１１３の各々の下面１１６は、補強部材１５２の下面１５９より上方に位置している。補強部材１５２の長さは、第１吊手１１２と第２吊手１１３との間の最短間隔より長い。
【００７７】
これにより、防音壁付き静止誘導機器２００を搬送および設置する際においては、第１吊手１１２および第２吊手１１３の各々の下面１１６および補強部材１５２の下面１５９の各々と接する状態で、第１搬送用支持部材１３０および第２搬送用支持部材１４０の各々を固定することができる。第１搬送用支持部材１３０には、連結部材１６０を固定することができる。ひいては、防音壁付き静止誘導機器２００を一体として搬送するための、防音壁付き静止誘導機器の搬送構造１００を構成することができる。
【００７８】
本発明の一実施の形態に係る防音壁付き静止誘導機器２００においては、土台１２０は、防音壁１５０と離間している。
【００７９】
これにより、静止誘導機器１１０から土台１２０に伝わった振動が、防音壁１５０に直接的に伝わることがないため、防音壁１５０による防音効果を高めることができる。
【００８０】
本実施の一実施の形態に係る防音壁付き静止誘導機器２００においては、補強部材１５２は、Ｃ形鋼またはＬ形鋼で構成されている。
【００８１】
これにより、補強部材１５２と防音壁１５０とが互いに面で接触した状態で固定されるため、防音壁１５０において補強部材１５２の周辺部分の剛性を高めることができる。このため、第１搬送用支持部材１３０および第２搬送用支持部材の各々を１４０の各々を補強部材１５２に固定した場合においても、第１搬送用支持部材１３０および第２搬送用支持部材１４０の各々から補強部材１５２を介して作用する応力によって、防音壁１５０が変形することを抑制することができる。
【００８２】
本発明の一実施の形態に係る防音壁付き静止誘導機器２００の製造方法は、静止誘導機器１１０を土台１２０に設置する工程と、静止誘導機器１１０に第１搬送用支持部材１３０および第２搬送用支持部材１４０を固定する工程と、第１搬送用支持部材１３０および第２搬送用支持部材１４０の各々に支持されるように、静止誘導機器１１０の周囲および上方を覆う防音壁１５０を組み立てる工程と、防音壁１５０より外側において、第１搬送用支持部材１３０に連結部材１６０を固定する工程と、連結部材１６０を押すまたは引くことによって、土台１２０に設置された状態の静止誘導機器１１０、および、第１搬送用支持部材１３０および第２搬送用支持部材１４０の各々に支持された状態の防音壁１５０を、一体で搬送する工程と、第１搬送用支持部材１３０から連結部材１６０を取り外す工程と、第１搬送用支持部材１３０および第２搬送用支持部材１４０を静止誘導機器１１０から取り外す工程と、第１搬送用支持部材１３０および第２搬送用支持部材１４０の各々による防音壁１５０の支持を解除する工程とを備えている。
【００８３】
これにより、静止誘導機器１１０と防音壁１５０とを備える防音壁付き静止誘導機器の搬送構造１００が形成される。当該搬送構造により、転倒モーメントの発生を抑制しつつ、防音壁１５０と静止誘導機器１１０とを一体として搬送することができる。さらには、防音壁付き静止誘導機器の搬送構造１００を設置した後、上記搬送構造を容易に解除して、防音壁付き静止誘導機器２００を設置場所に据え付けることができる。
【００８４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８５】
１  牽引車、１０  搬送路、１１  組立ハウス、１２  防音壁組付場所、１３  設置場所、１４  第１スライドレール、１５  第２スライドレール、１６，１７  コロ、１８  腰下材、１００  防音壁付き静止誘導機器の搬送構造、１１０  静止誘導機器、１１１  タンク、１１１ａ  上部タンク、１１１ｂ  下部タンク、１１２  第１吊手、１１２ａ，１１３ａ  貫通孔、１１３  第２吊手、１１４，１３１，１４１  上面、１１５  ブッシング、１１５ａ  第１ブッシング、１１５ｂ  第２ブッシング、１１６，１２１，１５９  下面、１２０  土台、１３０  第１搬送用支持部材、１４０  第２搬送用支持部材、１５０  防音壁、１５１  側壁部、１５２  補強部材、１５３  第１孔部、１５４  第２孔部、１５５  下側端面、１５６  天井部、１５７  開口部、１５７ａ  第１開口部、１５７ｂ  第２開口部、１６０  連結部材、１６１  腕部、１６２  接続部、２００  防音壁付き静止誘導機器。
【図１】
2020119960.tif 000003
【図２】
2020119960.tif 000004
【図３】
2020119960.tif 000005
【図４】
2020119960.tif 000006
【図５】
2020119960.tif 000007
【図６】
2020119960.tif 000008
【図７】
2020119960.tif 000009
【図８】
2020119960.tif 000010
【図９】
2020119960.tif 000011
【図１０】
2020119960.tif 000012
【図１１】
2020119960.tif 000013
【図１２】
2020119960.tif 000014
【図１３】
2020119960.tif 000015
【図１４】
2020119960.tif 000016